(57)【要約】【課題】  有効分漏れ電流Ｉｏｒには影響を及ぼさずに、微小な漏れ電流も安定した精度で計測することができる絶縁監視装置を提供する。【解決手段】  零相変流器からの漏れ電流を入力し、基本波有効分漏れ電流を演算することにより、電路の絶縁状態を監視する絶縁監視装置において、前記零相変流器からの漏れ電流が供給される複数の負担抵抗と、前記複数の負担抵抗の接続を切り替える負担抵抗切替スイッチと、漏れ電流値を測定し、適切な負担抵抗を接続するように前記負担抵抗切替スイッチを切り替える計測処理部を備えるものである。【選択図】  図１
2020008442.tif 000002
【特許請求の範囲】
【請求項１】
零相変流器からの漏れ電流を入力し、基本波有効分漏れ電流を演算することにより、電路の絶縁状態を監視する絶縁監視装置において、
前記零相変流器からの漏れ電流が供給される複数の負担抵抗と、
前記複数の負担抵抗の接続を切り替える負担抵抗切替スイッチと、
漏れ電流値を測定し、適切な負担抵抗を接続するように前記負担抵抗切替スイッチを切り替える計測処理部を備える絶縁監視装置。
【請求項２】
請求項１記載の絶縁監視装置において、
前記漏れ電流の入力端子に前記複数の負担抵抗と前記負担抵抗切替スイッチが接続され、
前記負担抵抗の電圧を増幅する増幅器と、
前記増幅器の出力をＡＤ変換するＡＤ変換器と
を備えることを特徴とする絶縁監視装置。
【請求項３】
請求項１記載の絶縁監視装置において、
前記計測処理部は、定格用負担抵抗を接続した漏れ電流のサンプリング値と、所定の基準値とを比較し、前記サンプリング値が前記所定の基準値以上の場合は、前記サンプリング値を格納し、前記サンプリング値が前記所定の基準値より小さい場合は、適切な負担抵抗値を計算して適切な負担抵抗に切り替える切替信号を作成し、切り替えた負担抵抗を接続した漏れ電流のサンプリング値を格納することを特徴とする絶縁監視装置。
【請求項４】
請求項３記載の絶縁監視装置において、
前記計測処理部は、負担抵抗を定格用負担抵抗から切り替える場合は、サンプリング値を負担抵抗に応じた所定の係数で補正することを特徴とする絶縁監視装置。
【請求項５】
請求項３記載の絶縁監視装置において、
前記計測処理部は、
漏れ電流のサンプリング値を求める漏れ電流値測定部と、
前記漏れ電流のサンプリング値と所定の基準値を比較する比較部と、
前記サンプリング値が所定の基準値より小さい場合に、適切な負担抵抗値を計算して適切な負担抵抗に切り替える切替信号を作成する切替信号作成部と
を備えることを特徴とする絶縁監視装置。
【請求項６】
請求項３記載の絶縁監視装置において、
前記所定の基準値と前記サンプリング値を格納する記憶部を備えることを特徴とする絶縁監視装置。
【請求項７】
請求項１記載の絶縁監視装置において、
前記負担抵抗はデジタル抵抗であり、
前記計測処理部からの切替信号により前記負担抵抗のデジタル抵抗値が変更されることを特徴とする絶縁監視装置。
【請求項８】
請求項１記載の絶縁監視装置において、
漏れ電流値と電路の電圧信号に基づいて、基本波漏れ電流Ｉｏおよび基本波有効分漏れ電流Ｉｏｒを演算することを特徴とする絶縁監視機器。
【請求項９】
請求項１記載の絶縁監視装置において、
接続される零相変流器の巻数に応じて、前記負担抵抗を切り替えることを特徴とする絶縁監視装置。
【請求項１０】
零相変流器からの漏れ電流を入力し、基本波有効分漏れ電流を演算することにより、電路の絶縁状態を監視する絶縁監視装置において、
前記零相変流器からの漏れ電流が供給される複数の負担抵抗と、
前記複数の負担抵抗の接続を切り替える負担抵抗切替スイッチと、
前記負担抵抗で検出した電圧を増幅する増幅器と、
前記増幅器の出力をＡＤ変換するＡＤ変換器と、
前記ＡＤ変換器の出力から漏れ電流値を求め、前記ＡＤ変換器の入力の大きさが適切な範囲となるように前記負担抵抗切替スイッチにより前記負担抵抗の接続を切り替える計測処理部を備える絶縁監視装置。
【発明の詳細な説明】
【技術分野】
【０００１】
本発明は、絶縁監視装置の計測精度の向上に関する。
【背景技術】
【０００２】
配電系統が正常な絶縁状態を維持しているかを監視する絶縁監視装置として、基本波有効分方式（以下、Ｉｏｒ方式と記載）がある。Ｉｏｒ方式の絶縁監視装置は、零相変流器ＺＣＴから監視対象電路の漏れ電流を入力し、商用周波数と同じ基本波漏れ電流Ｉｏを抽出し、取り込んだ電圧との位相差（θ）から、対地相電圧と同相成分の有効分漏れ電流Ｉｏｒの演算を行う。そして、この値の変化から配線、機器の劣化を判断し予防保全する。
特許文献１には、Ｉｏｒ方式の絶縁監視装置の一例が開示されている。
【先行技術文献】
【特許文献】
【０００３】
【特許文献１】特開２０１１−１４９９５９号公報
【発明の概要】
【発明が解決しようとする課題】
【０００４】
従来の絶縁監視装置の一例を、図５に示す。配電系統の配線１０１に設けた零相変流器１０２で漏れ電流を検出し、絶縁監視装置１００に入力する。絶縁監視装置１００では、漏れ電流を負担抵抗１１１にて電圧に変換し、オペアンプ１１４で増幅し、ＡＤ変換器１１５でデジタル値に変換する。ＣＰＵ１１６では、ＡＤ変換された漏れ電流値から、演算により高調波成分を除去して基本波有効分（Ｉｏ）を演算し、計測用トランスＶＴを介して取り込んだ電圧との位相差からベクトル演算で有効分漏れ電流（Ｉｏｒ）を演算する。
【０００５】
図６に、図５の絶縁監視装置において、ＡＤ変換器１１５に最大入力と微少入力が入力された場合のＡＤ変換のイメージを示す。最大入力が入力された場合にはＡＤ変換器の分解能（２の＊乗）を十分使うことができるが、微少入力の場合はＡＤ変換器の分解能の一部しか使うことができないため、漏れ電流の微少な変化を捉えることができず、計測精度を向上することができなかった。
【０００６】
また、零相変流器には、１０００ターンの他、２０００ターン、３０００ターンなど様々な巻数の製品があり、巻数の違いによりＡＤ変換器の入力電圧が変わり、分解能を十分に使うことができない場合があった。
【０００７】
また、絶縁監視装置において、漏れ電流は計測する電流が小さいことから、微小な漏れ電流の計測精度が安定しないことがある。この原因としてはノイズやオフセット電圧の影響が考えられ、ノイズ等の影響を抑える手段としてコンデンサを挿入することが一般的ではある。しかし、コンデンサを挿入すると信号の遅れが発生し有効分漏れ電流Ｉｏｒの精度に影響を及ぼすため、Ｉｏｒ方式の絶縁監視装置では有効な手段ではなく、微小な漏れ電流の計測精度の向上は難しかった。
【０００８】
本発明は、有効分漏れ電流Ｉｏｒには影響を及ぼさずに、微小な漏れ電流も安定した精度で計測することができる絶縁監視装置を提供することを目的とする。
【課題を解決するための手段】
【０００９】
本発明は、上記課題を解決するために、絶縁監視装置の計測回路に複数の負担抵抗を備え、その負担抵抗を計測する漏れ電流の大きさにより自動で切り替えることを特徴とする。
【００１０】
本発明の「絶縁監視装置」の一例を挙げるならば、
零相変流器からの漏れ電流を入力し、基本波有効分漏れ電流を演算することにより、電路の絶縁状態を監視する絶縁監視装置において、前記零相変流器からの漏れ電流が供給される複数の負担抵抗と、前記複数の負担抵抗の接続を切り替える負担抵抗切替スイッチと、漏れ電流値を測定し、適切な負担抵抗を接続するように前記負担抵抗切替スイッチを切り替える計測処理部を備えるものである。
【００１１】
また、本発明の「絶縁監視装置」の他の一例を挙げるならば、
零相変流器からの漏れ電流を入力し、基本波有効分漏れ電流を演算することにより、電路の絶縁状態を監視する絶縁監視装置において、前記零相変流器からの漏れ電流が供給される複数の負担抵抗と、前記複数の負担抵抗の接続を切り替える負担抵抗切替スイッチと、前記負担抵抗で検出した電圧を増幅する増幅器と、前記増幅器の出力をＡＤ変換するＡＤ変換器と、前記ＡＤ変換器の出力から漏れ電流値を求め、前記ＡＤ変換器の入力の大きさが適切な範囲となるように前記負担抵抗切替スイッチにより前記負担抵抗の接続を切り替える計測処理部を備えるものである。
【発明の効果】
【００１２】
本発明によれば、有効分漏れ電流Ｉｏｒには影響を及ぼさずに、微小な漏れ電流も安定した精度で計測することが可能になる。
また、種々の入力レンジの製品も同一機器で対応可能となり、零相変流器ＺＣＴの巻数の違いに影響されない計測精度を確保することができる。
【００１３】
上記した以外の課題、構成および効果は以下の実施形態の説明により明らかにされる。
【図面の簡単な説明】
【００１４】
【図１】実施例１の絶縁監視装置の全体構成図を示す。
【図２】実施例１の絶縁監視装置のＣＰＵのブロック構成図を示す。
【図３】実施例１の絶縁監視装置の処理フロー図を示す。
【図４】実施例１の絶縁監視装置内でサンプリングする電圧波形の例を示す。
【図５】従来の絶縁監視装置の一例の全体構成図を示す。
【図６】従来のＡＤ変換のイメージを示す。
【発明を実施するための形態】
【００１５】
以下、本発明の実施の形態について図面を用いて説明する。なお、実施の形態を説明するための各図において、同一の構成要素には同一の名称、符号を付して、その繰り返しの説明を省略する。
【実施例１】
【００１６】
図１に、本発明の実施例１の絶縁監視装置の全体構成を示す。
図１は、計測回路に複数の負担抵抗を備え、その負担抵抗値を計測する電流の大きさにより自動で切り替える機能を有する絶縁監視装置の全体構成を示す。
【００１７】
図１において、符号１０１は配電系統の漏れ電流計測箇所の配線を、符号１０２は零相変流器ＺＣＴを、符号１０３および符号１０４は零相変流器からの入力信号線を示す。また、符号１２１は計測用トランス（ＶＴ）を、符号１２２は計測用トランスからの入力信号線を示す。零相変流器１０２からの漏れ電流と計測用トランス１２１からの計測電圧が、絶縁監視装置１００へ入力される。
【００１８】
絶縁監視装置１００において、符号１１１は定格用負担抵抗を、符号１１２および符号１１３は切替用負担抵抗を、符号１１７は負担抵抗を切り替える負担抵抗切替スイッチを示す。また、符号１１４はオペアンプ（増幅器）を、符号１１５はＡＤ変換器を、符号１１６はＣＰＵを、符号１１８は電圧入力回路を示す。
【００１９】
絶縁監視装置１００の動作の概略は次のとおりである。配電系統の配線１０１に流れている零相電流を零相変流器１０２で変流し入力信号線１０３、１０４を通じて絶縁監視装置に入力する。その入力された電流信号(漏れ電流)を負担抵抗１１１、１１２、１１３の最適な組み合わせで電圧に変換し、オペアンプ１１４で信号を増幅する。その信号をＡＤ変換器１１５に入力し、デジタル値に変換する。漏れ電流値を示すそのデジタル値と、電圧入力回路１１８で入力した電圧信号に基づいてＣＰＵ１１６で演算し、基本波漏れ電流Ｉｏおよび基本波有効分漏れ電流Ｉｏｒの演算を行う。負担抵抗１１１、１１２、１１３の最適な組み合わせの切り替えは、ＣＰＵ１１６で作成した切替信号で負担抵抗切替スイッチ１１７を切り替えることにより、行う。
なお、図１では、負担抵抗１１１，１１２，１１３を複数配置し、負担抵抗切替スイッチ１１７で切り替えるようにしたが、負担抵抗としてデジタル抵抗を用いて、ＣＰＵ１１６からの切替信号によりデジタル抵抗の抵抗値を変更するように構成しても良い。
【００２０】
図２に、実施例１の絶縁監視装置に関連するＣＰＵのブロック構成図を示す。
【００２１】
入力部２０６には、ＡＤ変換器１１５からの信号や、電圧入力回路１１８からの電圧信号などが入力される。漏れ電流値測定部２０１は、漏れ電流値に対応するＡＤ変換器からの入力信号のサンプリング値を求める。比較部２０２は、定格の負担抵抗に切り替えた場合に、漏れ電流値と記憶部２０３に記憶した所定の基準値、例えば定格の５０％の漏れ電流値とを比較する。漏れ電流値が所定の基準値以上の場合は、漏れ電流値測定部２０１で測定したサンプリング値を、記憶部２０３のサンプリング値格納部に格納する。漏れ電流値が所定の基準値よりも小さい場合は、比較結果信号を切替信号作成部２０４へ出力する。切替信号作成部２０４では、比較部２０２からの比較結果信号に基づいて、最適な負担抵抗値を演算し、最適な負担抵抗に切り替えるための切替信号を負担抵抗切替スイッチ１１７へ出力する。なお、定格の負担抵抗から最適な負担抵抗に切り替えている場合は、漏れ電流値測定部２０１で測定したサンプリング値を、記憶部２０３のサンプリング値格納部に格納する。漏れ電流測定部２０１、比較部２０２、および切替信号作成部２０４で、計測処理部２００を構成している。
【００２２】
記憶部２０３は、所定の基準値を格納する基準値格納部や漏れ電流のサンプリング値を格納するサンプリング値格納部などを備え、必要なデータを記憶する。基本波漏れ電流演算部２０５は、漏れ電流のサンプリング値と電圧入力回路１１８から入力した電圧信号から、基本波漏れ電流Ｉｏや基本波有効分漏れ電流Ｉｏｒを演算し、記憶部２０３へ出力する。ＣＰＵ１１６は、更に、基本波有効分漏れ電流Ｉｏｒの演算結果などを表示する表示部２０６や、上位装置とデータのやり取りをする通信部２０８や、全体を制御する制御部２０９を備えている。
【００２３】
なお、測定する漏れ電流の最大入力が大きい零相変流器ＺＣＴに対応するために、定格の負担抵抗よりも小さい値の負担抵抗を設けておき、比較部２０２の比較結果が、サンプリング値が所定の基準値よりも十分大きくて飽和状態ある場合には、その負担抵抗に切り替えるように構成してもよい。
【００２４】
次に、図１に示す絶縁監視装置の処理フローを、図３を用いて説明する。
【００２５】
絶縁監視装置が計測処理を開始すると（Ｓ３０１）、先ず、定格用負担抵抗１１１を接続し、漏れ電流に対応する入力信号のサンプリング処理を行う（Ｓ３０２）。比較部２０２で、そのサンプリングされたデータから、所定の基準値、例えば漏れ電流値が定格の５０％以上か判定する（Ｓ３０３）。５０％以上であればサンプリング値を記憶部２０３へ格納する（Ｓ３０６）。５０％以下であれば切替信号作成部２０４で適切な負担抵抗を計算して切替信号を作成し、負担抵抗切替スイッチ１１７にて適切な負担抵抗に切り替える（Ｓ３０４）。そして、切り替えた負担抵抗での漏れ電流に対応する入力信号を再度サンプリングを行い（Ｓ３０５）、記憶部２０３へサンプリング値の格納を行う（Ｓ３０６）。その格納したサンプリング値から、負担抵抗の値に連動した係数によりサンプリング値の補正を行い（Ｓ３０７）、計算処理が終了する（Ｓ３０８）。その後、基本波漏れ電流演算部２０５で、基本波漏れ電流Ｉｏ、有効分基本波漏れ電流Ｉｏｒの演算処理を行う。
【００２６】
負担抵抗は、定格用負担抵抗をαとすれば、漏れ電流値が１０％の入力であれば１０α、漏れ電流値が２０％の入力であれば５αの様に選択すれば良い。負担抵抗の組み合わせの一例として、α、５α（５倍）、１０α（１０倍）と設定することができるが、更に範囲を拡げても良い。漏れ電流の最大入力が大きくて、飽和に対応する場合には、例えばα／５（１／５）、α／１０（１／１０）などの値とすればよい。
【００２７】
図１に示す絶縁監視装置において、微少な漏れ電流の場合のＡＤ変換器１１５に入力される電圧波形の一例を、図４に示す。図４において、符号４０１はＳ３０２で定格用負担抵抗で入力される電圧波形を、符号４０２はＳ３０４で適切な負担抵抗を切り替えた時にＳ３０５で入力される電圧波形を示す。
電圧波形４０１ではＡ／Ｄ変換器の分解能（２の＊乗）の一部しか使用できず小さな信号の変化が計測できないが、電圧波形４０２では分解能を広く使用できるため、信号の変化を精度よく計測できる。そして、ＡＤ変換器の入力電圧を大きくすることにより、ＡＤ変換器の量子化誤差を小さくすることができる。
【００２８】
本実施例によれば、定格用負担抵抗で漏れ電流値を求め、漏れ電流値が小さい場合には、最適な負担抵抗に切り替えるようにしたので、微少な漏れ電流もＡＤ変換器には大きな電圧として入力され、ＡＤ変換器の分解能の広範囲を使うことができる。そのため、漏れ電流の微少な変化を捉えることができ、計測精度を向上することができる。
【００２９】
また、ノイズ等の影響を抑える手段としてコンデンサを挿入するものではないので、基本波有効分漏れ電流Ｉｏｒには影響を及ぼさずに、微小な漏れ電流も安定した精度で計測することができる。
【実施例２】
【００３０】
零相変流器ＺＣＴには、１０００ターンの巻線を備えるものの他、２０００ターン、３０００ターンなど様々なものがある。ターン数の異なるＺＣＴに対して、図１および図２に示す絶縁監視装置を接続することにより、ＺＣＴのターン数に応じて負担抵抗が自動で切り替えられ、例えば２０００ターンの零相変流器が接続された時でも、１０００ターンの零相変流器と同様の精度で漏れ電流のサンプリングを行うことができる。
【００３１】
なお、有効分基本波漏れ電流Ｉｏｒの絶対値を求めるためには、巻線のターン数の情報が必要であり、そのためには、巻数の情報を含むＺＣＴ形式などを事前に入力すればよい。
【００３２】
本実施例によれば、零相変流器ＺＣＴの巻数の違いに影響されない計測精度を確保することができる。
【符号の説明】
【００３３】
１００…絶縁監視装置
１０１…配電系統の配線
１０２…零相変流器ＺＣＴ
１０３、１０４…零相変流器からの入力信号線
１１１…定格用負担抵抗
１１２、１１３…切替用負担抵抗
１１４…オペアンプ（増幅器）
１１５…ＡＤ変換器
１１６…ＣＰＵ
１１７…負担抵抗切替スイッチ
１１８…電圧入力回路
１２１…計測用トランス（ＶＴ）
１２２…計測用トランスからの入力信号線
２００…計測処理部
２０１…漏れ電流値測定部
２０２…比較部
２０３…記憶部
２０４…切替信号作成部
２０５…基本波漏れ電流演算部
２０６…入力部
２０７…表示部
２０８…通信部
２０９…制御部
４０１…定格用負担抵抗で入力される電圧波形
４０２…切替用負担抵抗で入力される電圧波形
【図１】
2020008442.tif 000003
【図２】
2020008442.tif 000004
【図３】
2020008442.tif 000005
【図４】
2020008442.tif 000006
【図５】
2020008442.tif 000007
【図６】
2020008442.tif 000008